(57)【要約】  制御部６１は、複数のテンキー８１を表示部７２の画面に表示し、テンキー８１に対するタッチ操作を、タッチパネル７４を通じて検出して、このタッチ操作されたテンキーに対応する数値を入力すると共に、ハードキー７１ａ〜７１ｍに対する操作を検出して、この操作されたハードキーに対応する機能の指示を受け付け、各ハードキーに対して予め設定された操作がなされた場合は、各数値をそれぞれのハードキーに割り振って、ハードキーに対する操作を検出し、この操作されたハードキーの数値を入力している。
2017018092.tif 000002
【特許請求の範囲】
【請求項１】
表示部と、
前記表示部に設けられたタッチパネルと、
数値入力する機能がない複数の機能に対応付けられた指示の入力を受け付けるそれぞれのハードキーと、
複数の数値に対応付けられたそれぞれのソフトキーを前記表示部の画面に表示し、前記ソフトキーに対するタッチ操作を、前記タッチパネルを通じて検出して、このタッチ操作されたソフトキーに対応する数値の入力を受け付けると共に、前記ハードキーに対する操作を検出して、この操作されたハードキーに対応する機能の指示を受け付ける制御部とを備え、
前記制御部は、前記各ソフトキーに対応する数値を、対応するそれぞれのハードキーに割り振り、予め定められた操作がなされたことを条件として、前記ハードキーに対する操作を検出して、この操作されたハードキーに対応する数値の入力を受け付ける入力装置。
【請求項２】
前記ソフトキー又は前記ハードキーの少なくとも一方により予め定められた操作がなされたことを条件として、前記ハードキーに対する操作を検出して、この操作されたハードキーに対応する数値の入力を受け付ける請求項１に記載の入力装置。
【請求項３】
前記予め定められた操作は、前記各ハードキーに対する予め設定された操作である請求項１に記載の入力装置。
【請求項４】
前記制御部は、前記ハードキーの操作で入力された数値が予め定められたコードを示すときに、前記数値の入力を受け付ける前記各ソフトキーの操作位置の調整が可能なメンテナンスモードを開始する請求項３に記載の入力装置。
【請求項５】
前記制御部は、前記各数値と該各数値が割り振られた各ハードキーとの対応関係を前記表示部の画面に表示する請求項１に記載の入力装置。
【請求項６】
前記各数値と該各数値が割り振られた各ハードキーとの対応関係は、該各ハードキーを模した画像と、該各ハードキーの画像に関連付けられた該各数値により表示される請求項５に記載の入力装置。
【請求項７】
前記制御部は、リスト表示により、前記各数値と該各数値が割り振られた各ハードキーとの対応関係を前記表示部の画面に表示する請求項５に記載の入力装置。
【請求項８】
前記制御部は、操作者により指定された対応関係に従って、前記各ハードキーに前記各数値のいずれかを対応付けて記憶する請求項１に記載の入力装置。
【請求項９】
前記制御部は、複数のアイコンを前記表示部の画面に表示させ、前記各アイコンのうちの規定のアイコンに対するタッチ操作を、前記タッチパネルを通じて検出した場合は、当該タッチ操作を前記予め定められた操作として、前記ハードキーに対する操作を検出して、この操作されたハードキーに対応する数値の入力を受け付け、
前記規定のアイコンのサイズを他のアイコンよりもサイズよりも大きく表示させる請求項１に記載の入力装置。
【発明の詳細な説明】
【技術分野】
【０００１】
本発明は、ハードキー及びタッチパネルを備える入力装置及び画像形成装置に関する。
【背景技術】
【０００２】
画像形成装置には、各種の機能を選択したり、数値を入力したりするための入力装置が設けられている。この入力装置としては、押圧操作されるハードキーを備えるもの、表示部と、該表示部の画面に重ねられたタッチパネルとを備え、表示部の画面にソフトキーを表示して、このソフトキーに対するタッチ操作を、タッチパネルを通じて検出するもの、ハードキー及びソフトキーを併用するものがある。【０００３】
例えば、特許文献１では、テンキーを表示部の画面にソフトキーとして表示し、テンキーに対するタッチ操作を、タッチパネルを通じて検出している。特許文献２では、ハードキー又はソフトキーを用いている。【０００４】
更に、特許文献３では、ハードキー及びソフトキーを併用している。また、番号と機能を予め対応付けて、テンキー（ハードキー）の操作により番号が入力されると、この番号に対応する機能を選択するようにしている。この場合は、テンキーが数値の入力のためにだけではなく、機能の選択のためにも用いられる。【０００５】
一方、ソフトキーを用いる場合は、タッチパネルにより検出されるタッチ操作の座標位置に誤差が生じると、表示部の画面上のソフトキーがタッチ操作されても、このソフトキーがタッチ操作されたとは判定されずに、誤動作が生じる。このため、一般に、タッチパネルにより検出されるタッチ操作の座標位置を補正するためのシミュレーション処理が実施される。【０００６】
例えば、特許文献４では、テンキーを表示部の画面にソフトキーとして表示しておき、テンキーの操作により暗証番号が入力されたときにタッチ操作の座標位置を記憶し、暗証番号が正しい場合は、タッチ操作の座標位置とテンキーの表示位置を比較して、タッチ操作の座標位置を補正している。これにより、暗証番号の入力の度に、タッチ操作の座標位置が自動的に補正される。
【先行技術文献】
【特許文献】
【０００７】
【特許文献１】特開２０１３−１４１７９５号公報
【特許文献２】特開２００９−１７７５２６号公報
【特許文献３】特開２００５−２６８８３５号公報
【特許文献４】特開２００８−１８１３２５号公報
【発明の概要】
【０００８】
ところで、画像形成装置等の入力装置では、これらの保守管理のためにメンテナンスモードを設定し、このメンテナンスモードで様々な処理を実施している。しかしながら、表示部の画面上のソフトキーのタッチ操作によりメンテナンスモードを指示する構成では、タッチパネルにより検出されるタッチ操作の座標位置に誤差が生じて、表示画面上のソフトキーに対応するタッチ操作の検出が困難になると、ソフトキーのタッチ操作に基づくメンテナンスモードに移行する指示を検出できなくなり、メンテナンスモードの実行が不可能になって、メンテナンスモードでの上記様々な処理を実施することができなくなる。
【０００９】
また、上記様々な処理の１つとして、タッチ操作の座標位置を補正するためのシミュレーション処理が設定されている場合は、このシミュレーション処理によるタッチ操作の座標位置の補正が不可能となり、表示画面上のソフトキーのタッチ操作ができなくなるおそれがある。
【００１０】
このため、例えばメンテナンスモードやシミュレーション処理等の処理を指示するためにそれぞれ専用のハードキーを設ければ、上記のような問題を生じることはない。しかしながら、ハードキーの個数が増えて、入力装置の操作が煩雑になり、また入力装置の設置スペースが広くなってしまう。
【００１１】
本発明は、上記の事情に鑑みなされたものであり、タッチパネルにより検出されるタッチ操作の座標位置に誤差が生じて、表示画面上のソフトキーに対応するタッチ操作の検出が困難になった場合であっても、ハードキーの個数を増やすことなく、メンテナンスモードやタッチパネルのシミュレーション処理等の実行指示を確実に入力可能にすることを目的とする。
【００１２】
本発明の一局面に係る入力装置は、表示部と、
前記表示部に設けられたタッチパネルと、
数値入力する機能がない複数の機能に対応付けられた指示の入力を受け付けるそれぞれのハードキーと、
複数の数値に対応付けられたそれぞれのソフトキーを前記表示部の画面に表示し、前記ソフトキーに対するタッチ操作を、前記タッチパネルを通じて検出して、このタッチ操作されたソフトキーに対応する数値の入力を受け付けると共に、前記ハードキーに対する操作を検出して、この操作されたハードキーに対応する機能の指示を受け付ける制御部とを備え、
前記制御部は、前記各ソフトキーに対応する数値を、対応するそれぞれのハードキーに割り振り、予め設定された操作がなされたことを条件として、前記ハードキーに対する操作を検出して、この操作されたハードキーに対応する数値の入力を受け付けるものである。
【００１３】
本発明によれば、タッチパネルにより検出されるタッチ操作の座標位置に誤差が生じて、表示画面上のソフトキーに対応するタッチ操作の検出が困難になった場合であっても、ハードキーの個数を増やすことなく、メンテナンスモードやタッチパネルのシミュレーション処理等の実行指示を確実に入力することが可能になる。
【図面の簡単な説明】
【００１４】
【図１】本発明に係る一実施形態の入力装置が適用された画像形成装置の構造を示す正面断面図である。
【図２】画像形成装置の機能構成を示すブロック図である。
【図３】入力装置の機能構成を示すブロック図である。
【図４】入力装置を示す平面図である。
【図５】入力装置における表示部の画面の一例を示す図である。
【図６】メンテナンスモードを設定して、シミュレーション処理等の処理を実施するまでの手順を示すフローチャートである。
【図７】入力装置における表示部の画面の他の例を示す図である。
【図８】入力装置における表示部の画面の別の例を示す図である。
【発明を実施するための形態】
【００１５】
以下、本発明の実施形態について図面を参照して説明する。
【００１６】
図１は、本発明に係る一実施形態の入力装置が適用された画像形成装置の構造を示す正面断面図である。画像形成装置１は、コピー機能、プリンター機能、スキャナー機能、及びファクシミリ機能のような複数の機能を兼ね備えた複合機である。また、画像形成装置１は、装置本体２に、画像読取装置（ＩＳＵ;Image scanner unit）５、入力装置４７、画像形成部１２０、定着部１３、及び給紙部１４等を設けて構成される。なお、入力装置４７及びこれを備える画像形成装置１の双方ともに、特許請求の範囲における入力装置の一例となり得る。
【００１７】
入力装置４７は、利用者により操作され、画像形成装置１が実行可能な各種動作及び処理について利用者から画像形成動作実行指示や画像読取動作実行指示等の指示を受け付ける。
【００１８】
画像読取動作を行う場合、画像読取部５は、原稿の画像を光学的に読取って、画像データを生成する。画像読取部５により生成された画像データは、内蔵ＨＤＤ又はネットワーク接続されたコンピューター等に保存される。
【００１９】
画像形成動作を行う場合は、上記画像読取動作により生成された画像データ、ネットワーク接続されたコンピューターやスマートフォン等の利用者端末装置から受信した画像データ、又は内蔵ＨＤＤに記憶されている画像データ等に基づいて、画像形成部１２０が、給紙部１４から供給される記録媒体としての記録紙Ｐにトナー像を形成する。
【００２０】
画像形成部１２０の画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、トナーを用いて、感光体ドラム１２２の表面の静電潜像をトナー像に現像する現像装置１２４と、１次転写ローラー１２６とをそれぞれ備えている。
【００２１】
カラー印刷を行う場合、画像形成部１２０のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋにおいては、感光体ドラム１２２の表面を均一に帯電させてから露光して、その表面にカラーの色成分の画像に対応する静電潜像を形成し、感光体ドラム１２２の表面の静電潜像を現像装置１２４により現像して、感光体ドラム１２２上にその色成分のトナー像を形成し、トナー像を１次転写ローラー１２６により駆動ローラー１２５Ａ及び従動ローラー１２５Ｂに張架されている中間転写ベルト１２５上に１次転写させる。
【００２２】
中間転写ベルト１２５は、その外周面にトナー像が転写される像担持面が設定されており、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００２３】
中間転写ベルト１２５上に転写される各色成分のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５との間のニップ部Ｎにおいて、給紙部１４から搬送路１９０を通じて搬送されてきた記録紙Ｐに２次転写させる。
【００２４】
この後、定着部１３で記録紙Ｐが加熱及び加圧されて、記録紙Ｐ上のトナー像が熱圧着により定着され、更に記録紙Ｐが排出ローラー対１５９を通じて排出トレイ１５１に排出される。
【００２５】
給紙部１４は、複数の記録紙Ｐを収容しており、ピックアップローラー２３を回転駆動して、記録紙Ｐを搬送路１９０へと搬送供給する。
【００２６】
次に、画像形成装置１の構成を説明する。図２は、画像形成装置１の機能構成を示すブロック図である。
【００２７】
画像形成装置１は、制御ユニット６０、画像読取部５、定着部１３、画像形成部１２０、入力装置４７、画像メモリー６２、ＨＤＤ６３、ファクシミリ通信部６４、及びネットワークインターフェイス部６６等を備えて構成される。尚、図１を用いて説明した構成要素と同じものには同じ番号を付している。
【００２８】
制御ユニット６０は、ＣＰＵ(Central Processing Unit)、ＲＡＭ、ＲＯＭ、及び専用のハードウェア回路等から構成される。制御ユニット６０は、制御部６１を備える。当該ＲＡＭは、制御部６１のワークエリアとなる。また、上記ＲＯＭは、プログラムや表示部７２に表示させるソフトキーやアイコン等の画像を記憶している。
【００２９】
制御部６１は、制御ユニット６０、画像読取部５、定着部１３、画像形成部１２０、入力装置４７、画像メモリー６２、ＨＤＤ６３、ファクシミリ通信部６４、及びネットワークインターフェイス部６６等と接続され、これらの制御を行って、画像形成装置１を全体的に制御する。
【００３０】
ファクシミリ通信部６４は、図略の符号化／復号化部、変復調部、及びＮＣＵ（Network Control Unit）を備え、公衆電話回線網を用いてのファクシミリ通信を行うものである。
【００３１】
ネットワークインターフェイス部６６は、ＬＡＮボード等の通信モジュールから構成され、ネットワークインターフェイス部６６に接続されたＬＡＮ等を介して、ローカルエリア内又はインターネット上のパーソナルコンピューター等の端末装置６７と種々のデータ通信を行う。
【００３２】
画像メモリー６２は、画像読取部５により読取られた原稿画像のデータを一時的に記憶したり、画像形成部１２０のプリント対象となるデータを一時的に保存したりする領域である。
【００３３】
ＨＤＤ６３は、画像読取部５によって読取られた原稿画像等を記憶する大容量の記憶装置である。
【００３４】
このような構成において、利用者は、入力装置４７を操作することによりファクシミリ通信機能、コピー機能、プリンター機能、及びスキャナー機能のいずれかを選択して、選択した機能の動作に必要な設定項目の値を入力し、選択した機能の動作を開始させることができる。例えば、入力装置４７の操作により、コピー機能が選択され、記録紙の枚数及びサイズが指示され、コピー動作の開始が指示されると、制御部６１は、画像読取部５により原稿の画像を読取らせ、画像形成部１２０により該原稿の画像を上記指示された枚数及びサイズの記録紙に印刷させる。同様に、ファクシミリ通信機能、プリンター機能、およびスキャナー機能についても、入力装置４７の操作により、機能の選択や、設定項目の値の入力、動作の開始等が指示されると、その指示された処理が実行される。
【００３５】
次に、本実施形態の入力装置４７について詳しく説明する。図３は、入力装置４７の機能構成を示すブロック図である。また、図４は、入力装置４７を示す平面図である。
【００３６】
入力装置４７は、複数のハードキー７１ａ〜７１ｍ、ソフトキーやアイコン等を表示する表示部７２、表示ドライバー７３、表示部７２の画面７２ａに重ねて設けられた透明なタッチパネル７４等を備えている。
【００３７】
各ハードキー７１ａ〜７１ｍは、「コピー」、「送信」、「Ｆａｘ」、「テンキー」、「ユニバーサル」、「ジョブ中止」、「メニュー」、「リセット」、「ストップ」、「スタート」、「割込」、「ログアウト」、「節電」というそれぞれの機能に対応付けられて、これらの機能を指示するために押圧操作される。
【００３８】
制御部６１は、各ハードキー７１ａ〜７１ｍのいずれかが押圧操作されると、この押圧操作されたハードキーに対応する機能の指示を受け付ける。
【００３９】
また、タッチパネル７４は、表示部７２の画面７２ａに対するタッチ操作がなされたときに該画面７２ａにおけるタッチ操作の座標位置を検出する。例えば、タッチパネル７４として、抵抗膜方式、静電容量方式、表面型静電容量方式等のものを適用することができる。
【００４０】
制御部６１は、表示ドライバー７３を通じて表示部７２を制御し、表示部７２の画面７２ａにソフトキー８６やアイコン８２〜８４等を表示する。そして、制御部６１は、タッチパネル７４により表示部７２の画面７２ａにおけるタッチ操作の座標位置が検出されると、この検出された座標位置と表示部７２の画面７２ａにおけるソフトキー８６やアイコン８２〜８４の座標領域を比較し、この座標位置がソフトキー８６やアイコン８２〜８４のいずれかの座標領域に重なると、この座標位置が重なった座標領域のソフトキー又はアイコンがタッチ操作されたと判定して、このソフトキー又はアイコンのタッチ操作による入力を受け付ける。なお、制御部６１は、特許請求の範囲における「制御部」の一例となる。
【００４１】
例えば、図４において、テンキーの表示を指示するためのアイコン８２がタッチ操作されると、タッチパネル７４によりそのタッチ操作の座標位置が検出される。このとき、制御部６１は、この検出された座標位置がアイコン８２の座標領域に重なると、アイコン８２がタッチ操作されたと判定して、テンキーの表示の指示を受け付ける。そして、制御部６１は、テンキーの表示が指示されたことから、図５に示すように表示部７２の画面７２ａに複数のテンキー８１をソフトキーとして表示する。
【００４２】
更に、図５において、各テンキー８１のいずれかがタッチ操作されると、タッチパネル７４によりそのタッチ操作の座標位置が検出される。そして、制御部６１は、この検出された座標位置がタッチ操作されたテンキー８１の座標領域に重なるため、このテンキー８１がタッチ操作されたと判定して、このテンキー８１の数値を入力する。
【００４３】
また、図４及び図５において、各種の機能を指示するための各アイコン８３のいずれかがタッチ操作されて、タッチパネル７４によりそのタッチ操作の座標位置が検出されると、制御部６１は、この検出された座標位置がタッチ操作されたアイコン８３の座標領域に重なるため、このアイコン８３がタッチ操作されたと判定して、このアイコン８３の機能の指示を受け付ける。
【００４４】
そして、制御部６１は、表示部７２の画面のテンキー８１のタッチ操作により数値が入 力されたり、アイコン８３のタッチ操作により機能が指示されたり、あるいはハードキーの押圧操作により機能が指示されたりすると、これらの数値や機能の指示を画像形成装置１の制御部６１に出力する。制御部６１は、これらの数値や機能に基づき、画像形成装置１を制御して、種々の処理を実施する。
【００４５】
本実施形態の入力装置４７では、複数の数値を配列してなる予め定められたコードの入力により、画像形成装置１のメンテナンスモードの実行指示を入力可能とされている。例えば、制御部６１がソフトキー操作に基づいて上記コードを示す数値の入力を受け付けたとき、制御ユニット６０が備えるＲＯＭに記憶されたプログラムに従った制御部６１の動作により、各種の処理が可能なメンテナンスモードが実行される。制御部６１は、メンテナンスモードの実行時には、入力装置４７を介して操作者により入力される選択指示に基づいて、当該各種の処理のいずれかを選択的に実施する。これらの処理は、予め定められたそれぞれの更なるコードに対応付けられており、操作者による各テンキーの操作でいずれかのコードが入力されると、制御部６１は、このコードに対応する処理を実施する。
【００４６】
しかしながら、表示部７２の画面７２ａ上のソフトキーの操作により上記メンテナンスコードの実行を指示する構成としたならば、タッチパネル７４により検出されるタッチ操作の座標位置（ソフトキーの操作に基づいて数値の入力を受け付ける際における当該ソフトキーに対する操作位置）に誤差が生じたときに、上記ソフトキーのタッチ操作の検出が困難になり、メンテナンスモードを設定することができなくなる。例えば、タッチパネル７４の座標軸のデータが消失したり、タッチパネル７４の動作不良が発生したりした場合に、そのような事態が生じる。
【００４７】
また、表示部７２の画面７２ａ上の各テンキー８１の操作により上記コードを入力しようとしても、各テンキー８１のタッチ操作の座標位置にそもそも誤差が生じているため、各テンキー８１に対応するタッチ操作の検出が困難であり、上記コードに対応する処理を実施することができない事態が生じる。
【００４８】
更には、例えばメンテナンスモードで実施される１つの処理として、タッチ操作の座標位置を補正するシミュレーション処理が設定されている場合は、テンキー８１のタッチ操作により操作者がコードを入力して、シミュレーション処理の実施を指示しようとしても、上記誤差が生じていると、各テンキー８１に対応するタッチ操作の検出が困難であるために、制御部６１は、このシミュレーション処理を実施させる指示の入力を受け付け不可能になる。この結果、ソフトキーやアイコンのタッチ操作ができなくなる事態も生じる。
【００４９】
そこで、本実施形態では、制御部６１は、各ハードキー７１ａ〜７１ｍのうちの１０個のハードキーを「０」〜「９」の数値に対応付けておき、各ハードキー７１ａ〜７１ｍに対して予め設定された押圧操作が行われると、操作者による各ハードキー７１ａ〜７１ｍの操作に基づいて、各ハードキー７１ａ〜７１ｍに対応付けられた各数値の入力を受け付ける。また、制御部６１は、表示部７２の画面７２ａに格別に大きなサイズのアイコン８４を表示させておき、このアイコン８４がタッチ操作されたときにも、上記各ハードキー７１ａ〜７１ｍに対応付けられた各数値の入力を受け付ける。
【００５０】
そして、制御部６１は、各ハードキー７１ａ〜７１ｍに対して上記予め設定された押圧操作（特許請求の範囲における予め定められた操作の一例）が行われたときに、このメンテナンスモードの実行を開始する。
【００５１】
次に、そのようなメンテナンスモードの実行を開始して、コードに対応する処理を実施するまでの手順を、図６に示すフローチャートに従って具体的に説明する。
【００５２】
まず、制御部６１は、メンテナンスモードの指示を待機している（ステップＳ１２「Ｎｏ」）。ここでは、制御部６１は、３つのハードキー７１ｈ、７１ｉ、７１ｊが操作者により同時に押圧される操作を、上記予め設定された押圧操作として記憶している。
【００５３】
制御部６１は、上記３つのハードキー７１ｈ、７１ｉ、７１ｊが同時に押圧操作されると（ステップＳ１２「Ｙｅｓ」）、操作者による各ハードキー７１ａ〜７１ｍの操作に基づいて、各ハードキー７１ａ〜７１ｍに対応付けられた各数値の入力を受け付け可能な状態にする（ステップＳ１３）。
【００５４】
また、図４及び図５に示すような表示部７２の画面７２ａに表示されているアイコン８４をタッチ操作することによっても、制御部６１は、メンテナンスモードの実行指示を受け付ける。制御部６１は、このアイコン８４を、表示部７２の画面７２ａの周縁から離れた箇所にかつ他のアイコンよりも十分に大きなサイズで表示させている。これは、タッチパネル７４により検出されるタッチ操作の座標位置に誤差が生じても、アイコン８４のタッチ操作の検出確率を高めるためである。
【００５５】
制御部６１は、アイコン８４がタッチ操作されて、タッチパネル７４によりタッチ操作の座標位置が検出されると、この検出された座標位置がアイコン８４の座標領域に重なるため、アイコン８４がタッチ操作されたと判定して（ステップＳ１２）、この判定に基づいて、制御部６１は、操作者による各ハードキー７１ａ〜７１ｍの操作に基づいて、各ハードキー７１ａ〜７１ｍに対応付けられた各数値の入力を受け付け可能な状態にする（ステップＳ１３）。当該アイコン８４に対するタッチ操作は、特許請求の範囲における予め定められた操作の一例である。
【００５６】
例えば、制御部６１は、７個の各ハードキー７１ａ、７１ｂ、……、７１ｇに７つの数値「０」、「１」、……、「６」を対応付けると共に、３個の各ハードキー７１ｋ、７１ｌ、７１ｍに３つの数値「７」、「８」、「９」を対応付けて記憶している。制御部６１は、上記ステップＳ１２による上記判定を条件に、１０個のハードキーを「０」〜「９」の数値に対応付けるために、７個の各ハードキー７１ａ、７１ｂ、……、７１ｇと「コピー」、「送信」、……「メニュー」という機能の対応付けをキャンセルすると共に、３個の各ハードキー７１ｋ、７１ｌ、７１ｍと「割込」、「ログアウト」、「節電」という機能の対応付けをキャンセルし、７個の各ハードキー７１ａ、７１ｂ、……、７１ｇ及び３個の各ハードキー７１ｋ、７１ｌ、７１ｍの操作により、各ハードキーに対応付けられた数値の入力を受け付ける状態とする。
【００５７】
さらに、制御部６１は、図７に示すような表示部７２の画面７２ａを表示部４７３に表示させる。この図７の画面７２ａには、各ハードキーとその操作により入力が可能な数値の対応関係を示すハードキー参照欄９１と、メンテナンスモードに含まれる各処理と該各処理のコードの対応関係とが表示される（ステップＳ１４）。
【００５８】
ハードキー参照欄９１には、各ハードキー７１ａ〜７１ｍの画像が表示されると共に、各数値「０」〜「９」が１０個の各ハードキー７１ａ、７１ｂ、……７１ｇ、７１ｋ、７１ｌ、７１ｍの画像に重ねて表示されている。すなわち、上記１０個の各ハードキーと各数値「０」〜「９」の対応関係が表示されている。このため、利用者は、その対応関係を参照しつつ、該各ハードキーを選択的に押圧操作して、メンテナンスモードの実行指示としての、複数の数値からなるコードを容易かつ確実に入力することができる。
【００５９】
この状態で、制御部６１は、１０個の各ハードキー７１ａ、７１ｂ、……７１ｇ、７１ｋ、７１ｌ、７１ｍが選択的に押圧操作されると、この押圧操作されたハードキーに割り振られた数値の入力を受け付ける。例えば、制御部６１は、ハードキー７１ａが押圧操作されると、ハードキー７１ａに割り振られた数値「０」の入力を受け付け、またハードキー７１ｂが押圧操作されると、ハードキー７１ｂに割り振られた数値「１」の入力を受け付ける。
【００６０】
そして、制御部６１は、上記１０個の各ハードキーの選択的な押圧操作により、メンテナンスモードの実行指示としてのコードが入力されると（ステップＳ１５「Ｙｅｓ」）、メンテナンスモードの実行を開始する（ステップＳ１６）。
【００６１】
また、このメンテナンスモードの実行時に、上記１０個の各ハードキーの選択的な押圧操作により、メンテナンスモードにおける各処理の実行を指示するための上記予め定められたコードが入力されると（ステップＳ１７「Ｙｅｓ」）、制御部６１は、この入力されたコードに対応する処理の指示を受け付けて、当該処理を実施する（ステップＳ１８）。
【００６２】
例えば、上記１０個の各ハードキーの選択的な押圧操作により、タッチ操作の座標位置を補正するためのシミュレーション処理に対応するコードが入力されると、シミュレーション処理の指示が受け付けられ、このシミュレーション処理が制御部６１により実施される。
【００６３】
このシミュレーション処理は、周知の方式でよい。例えば、制御部６１が、表示部７２の画面７２ａに複数のポイントマークを表示させ、利用者が各ポイントマークを順次タッチ操作して、タッチパネル７４によりタッチ操作の座標位置を逐次検出し、各ポイントマークの座標位置と各タッチ操作の座標位置が一致するように、タッチ操作の座標位置の補正量を求める。
【００６４】
このシミュレーション処理が終了すると、制御部６１は、図７の表示部７２の画面７２ａに表示部４７３の表示を戻し、上記１０個の各ハードキーの選択的な押圧操作により他の処理のコードの入力を受け付けて、他の処理を実施したり、あるいは上記１０個の各ハードキーの選択的な押圧操作によりメンテナンスモードの終了コードの入力を受け付けて、メンテナンスモードを終了したりする。
【００６５】
このように本実施形態では、各ハードキー７１ａ〜７１ｍに対して予め設定された押圧操作が行われるか、あるいは他のアイコンよりも十分に大きなサイズのアイコン８４がタッチ操作されると、制御部６１は、各ハードキー７１ａ〜７１ｍのうちの１０個の各ハードキーを「０」〜「９」の数値に対応付けて、各数値の入力を受け付ける。このため、タッチパネル７４により検出されるタッチ操作の座標位置に誤差が生じて、ソフトキーのタッチ操作に不具合が発生しても、上記１０個の各ハードキーの押圧操作により各種の処理のコードを入力して、メンテナンスモードの実行を開始することが可能になる。
【００６６】
また、タッチパネル７４により検出されるタッチ操作の座標位置に誤差が生じても、上記コードの入力により、シミュレーション処理を確実に実施することができ、タッチパネル７４の正常動作を復帰させることが可能となる。
【００６７】
更に、上記１０個の各ハードキーと各数値「０」〜「９」の対応関係を表示部７２の画面７２ａに表示しているため、操作者は、この対応関係を参照しつつ、複数の数値からなるコードを容易かつ確実に入力することができる。
【００６８】
しかも、ハードキーとして各テンキー等を設ける必要がないため、ハードキーの個数を抑えて、入力装置４７の操作を簡単化し、また入力装置４７の設置スペースを節減することができる。
【００６９】
なお、上記実施形態では、図７に示すような表示形態で１０個の各ハードキーと各数値「０」〜「９」の対応関係を表示しているが、制御部６１が、図８に示すように１０個の各ハードキーの機能と各数値「０」〜「９」の対応関係を示す一覧表９２をリスト表示するようにしてもよい。
【００７０】
また、上記実施形態では、３つのハードキー７１ｈ、７１ｉ、７１ｊを同時に押圧操作したときに、各ハードキーに対応する各数値を制御部６１が受け付けるものとしているが、２つ又は４つ以上のハードキーを同時に押圧操作されたり、１つのハードキーを長押しされたりしたことをもって、制御部６１が、各ハードキーに対応する各数値を受け付けるものとしても構わない。
【００７１】
また、制御部６１は、操作者により指定された対応関係に従って、上記各ハードキーに各数値「０」〜「９」のいずれかを対応付けて記憶するようにしてもよい。例えば、制御部６１は、表示部７２に各数値「０」〜「９」を示す画像を表示させ、操作者により上記各ハードキーのいずれかが押下され、当該ハードキーに対応付けられた信号の入力を受け付けた後に、表示部７２における各数値「０」〜「９」を示す画像のいずれかの表示領域への操作者による押下操作を検出したときに、当該信号入力を受け付けたハードキーと、当該押下操作がされた表示領域に表示されている画像が示す数値とを対応付けて記憶する。これにより、操作者は、所望のハードキーの操作により、予め設定しておいた数値を入力することが可能になる。
【００７２】
また、図１乃至図８を用いて説明した構成及び処理は、本発明の一実施形態に過ぎず、本発明を当該構成及び処理に限定する趣旨ではない。
【図１】
2017018092.tif 000003
【図２】
2017018092.tif 000004
【図３】
2017018092.tif 000005
【図４】
2017018092.tif 000006
【図５】
2017018092.tif 000007
【図６】
2017018092.tif 000008
【図７】
2017018092.tif 000009
【図８】
2017018092.tif 000010
【国際調査報告】
2017018092.tif 000011
2017018092.tif 000012